(57)【要約】【課題】  表示面における遮光物の座標位置を取得するまでの処理時間が短く、かつ表示面に接触した遮光物が検出光を遮光したことを適切に判断することができないことで発生する誤検出を防止することができる座標検出装置を提供する。【解決手段】  座標検出装置１０は、矩形状の表示面５を有する表示部５ａと、複数の発光素子６ａと、複数の受光素子６ｂと、座標位置検出部とを備える。表示面５は、第１側辺１ａと、第２側辺２ａと、第３側辺３ａと、第４側辺４ａとによって形成される。第１側辺１ａと第２側辺２ａとが接続された第１接続部１ｂ、および第３側辺３ａと第４側辺４ａとが接続された第３接続部３ｂのそれぞれ近傍において発光素子６ａが設けられている。【選択図】      図１
2013088940.tif 000002
【特許請求の範囲】
【請求項１】
第１側辺と、第１側辺に直交する第２側辺と、第１側辺に対向する第３側辺と、第２側辺に対向する第４側辺とによって形成される矩形状の表示面を有する表示部と、
第１側辺に沿って設けられ、対向する側辺に向けて光を出射する発光素子からなる第１発光部であって、該発光素子が、第１側辺の、第２側辺に連なる側の最端部に配置される第１発光部と、
第２側辺に沿って設けられ、対向する側辺に向けて光を出射する発光素子からなる第２発光部であって、該発光素子が、第２側辺の、第１側辺に連なる側の最端部に配置される第２発光部と、
第３側辺に沿って設けられ、対向する側辺に向けて光を出射する発光素子からなる第３発光部であって、該発光素子が、第３側辺の、第４側辺に連なる側の最端部に配置される第３発光部と、
第４側辺に沿って設けられ、対向する側辺に向けて光を出射する発光素子からなる第４発光部であって、該発光素子が、第４側辺の、第３側辺に連なる側の最端部に配置される第４発光部と、
第１側辺、第２側辺、第３側辺および第４側辺に沿って、表示面を挟んで各発光素子と対向する位置にそれぞれ設けられ、各発光素子から出射される光を受光する複数の受光素子と、
対向する前記発光素子から光が出射されているときに、前記受光素子における前記光の受光量が、予め定める閾値未満であれば、当該発光素子から当該受光素子に至る光路上に物体が存在すると判断し、存在すると判断された物体の、表示面における座標位置を、前記受光量が予め定める閾値未満である前記受光素子の位置に基づいて検出する座標位置検出部とを備えることを特徴とする座標検出装置。
【請求項２】
座標位置検出部は、全ての発光素子が同時に光を出射する同時スキャン方式によって前記座標位置を検出することを特徴とする請求項１に記載の座標検出装置。
【発明の詳細な説明】
【技術分野】
【０００１】
本発明は、座標検出装置に関する。
【背景技術】
【０００２】
光学式タッチパネルなどの座標検出装置は、表示面における人間の指などの遮光物により遮光された部分の座標位置を検出する。図３は、従来の座標検出装置１００における、表示面５、ならびに発光素子６ａおよび受光素子６ｂを示す図面である。
【０００３】
座標検出装置１００では、表示面５の第１側辺１ａおよび第２側辺２ａに沿って複数の発光素子６ａが配列し、表示面５の第３側辺３ａおよび第４側辺４ａに沿って複数の受光素子６ｂが配列している。発光素子６ａは、表示面５を挟んで対向する受光素子６ｂに向かって検出光７を出射する。座標検出装置１００は、発光素子６ａから出射された検出光７が、表示面５に接触した遮光物によって遮光されて、受光素子６ｂにおける検出光７の受光量が低下したことを検出すると、表示面５に接触した遮光物の座標位置を、検出光７の受光量が低下した受光素子６ｂの位置に基づいて検出する。
【０００４】
発光素子６ａからは、対向する受光素子６ｂに向かって検出光７を出射すると、この検出光７とは異なる方向へサイド光８も出射される。そのため、このような構成の座標検出装置１００では、全ての発光素子６ａから同時に検出光７を出射させる同時スキャンを行うと、サイド光８が、受光素子６ｂに受光されるおそれがある。
【０００５】
具体的には、第３側辺３ａの第４側辺４ａ側に沿って設けられる受光素子６ｂに向かって検出光７を出射する、第１側辺１ａの第４側辺４ａ側に沿って設けられた発光素子６ａから出射されたサイド光８が、第４側辺４ａの第１側辺１ａ側に沿って設けられた受光素子６ｂに受光されるおそれがある。また、第４側辺４ａの第３側辺３ａ側に沿って設けられる受光素子６ｂに向かって検出光７を出射する、第２側辺２ａの第３側辺３ａ側に沿って設けられた発光素子６ａから出射されたサイド光８が、第３側辺３ａの第２側辺２ａ側に沿って設けられた受光素子６ｂに受光されるおそれがある。
【０００６】
そして、サイド光８が、受光素子６ｂに受光されると、遮光物が検出光７を遮光したことを適切に判断することができないという誤検出を起こすおそれがある。たとえば、対向する発光素子６ａとの間に遮光物があって、本来なら光を受光しないはずの受光素子６ｂがサイド光８を受光してしまうと、対向する発光素子６ａとの間に遮光物がないという誤検出を起こすおそれがある。
【０００７】
このような問題を解決するため、特許文献１には、第１側辺１ａと第４側辺４ａとの接続部近傍の領域１７を通過する検出光７を出射する第１側辺１ａの発光素子６ａと、領域１７を通過する検出光７を出射する第２側辺２ａの発光素子６ａとが、異なるタイミングで検出光７を出射し、第２側辺２ａと第３側辺３ａとの接続部近傍の領域１８を通過する検出光７を出射する第１側辺１ａの発光素子６ａと、領域１８を通過する検出光７を出射する第２側辺２ａの発光素子６ａとが、異なるタイミングで検出光７を出射する座標検出装置が開示されている。特許文献１に開示の座標検出装置であれば、サイド光８を受光素子６ｂに受光させずに、検出光７のみを受光させることができるので、遮光物が検出光７を遮光したことを適切に判断することができる。
【先行技術文献】
【特許文献】
【０００８】
【特許文献１】特開２００８−２１０２９２号公報
【発明の概要】
【発明が解決しようとする課題】
【０００９】
しかしながら、特許文献１に開示の座標検出装置では、同時スキャンを行っていないので、表示面における遮光物の座標位置を取得するまでの処理時間が長くなる。
【００１０】
本発明の目的は、表示面における遮光物の座標位置を取得するまでの処理時間が短く、かつ表示面に接触した遮光物が検出光を遮光したことを適切に判断することができないことで発生する誤検出を防止することができる座標検出装置を提供することである。
【課題を解決するための手段】
【００１１】
本発明は、第１側辺と、第１側辺に直交する第２側辺と、第１側辺に対向する第３側辺と、第２側辺に対向する第４側辺とによって形成される矩形状の表示面を有する表示部と、
第１側辺に沿って設けられ、対向する側辺に向けて光を出射する発光素子からなる第１発光部であって、該発光素子が、第１側辺の、第２側辺に連なる側の最端部に配置される第１発光部と、
第２側辺に沿って設けられ、対向する側辺に向けて光を出射する発光素子からなる第２発光部であって、該発光素子が、第２側辺の、第１側辺に連なる側の最端部に配置される第２発光部と、
第３側辺に沿って設けられ、対向する側辺に向けて光を出射する発光素子からなる第３発光部であって、該発光素子が、第３側辺の、第４側辺に連なる側の最端部に配置される第３発光部と、
第４側辺に沿って設けられ、対向する側辺に向けて光を出射する発光素子からなる第４発光部であって、該発光素子が、第４側辺の、第３側辺に連なる側の最端部に配置される第４発光部と、
第１側辺、第２側辺、第３側辺および第４側辺に沿って、表示面を挟んで各発光素子と対向する位置にそれぞれ設けられ、各発光素子から出射される光を受光する複数の受光素子と、
対向する前記発光素子から光が出射されているときに、前記受光素子における前記光の受光量が、予め定める閾値未満であれば、当該発光素子から当該受光素子に至る光路上に物体が存在すると判断し、存在すると判断された物体の、表示面における座標位置を、前記受光量が予め定める閾値未満である前記受光素子の位置に基づいて検出する座標位置検出部とを備えることを特徴とする座標検出装置である。
【００１２】
また本発明は、座標位置検出部は、全ての発光素子が同時に検出光を出射する同時スキャン方式によって座標位置を検出することを特徴とする。
【発明の効果】
【００１３】
本発明によれば、座標検出装置は、矩形状の表示面を有する表示部と、第１発光部と、第２発光部と、第３発光部と、第４発光部と、複数の受光素子と、座標位置検出部とを備える。
【００１４】
表示面は、第１側辺と、第１側辺に直交する第２側辺と、第１側辺に対向する第３側辺と、第２側辺に対向する第４側辺とによって形成される。第１発光部は、第１側辺に沿って設けられ、対向する側辺に向けて光を出射する発光素子からなり、該発光素子が、第１側辺の、第２側辺に連なる側の最端部に配置される。第２発光部は、第２側辺に沿って設けられ、対向する側辺に向けて光を出射する発光素子からなり、該発光素子が、第２側辺の、第１側辺に連なる側の最端部に配置される。第３発光部は、第３側辺に沿って設けられ、対向する側辺に向けて光を出射する発光素子からなり、該発光素子が、第３側辺の、第４側辺に連なる側の最端部に配置される。第４発光部は、第４側辺に沿って設けられ、対向する側辺に向けて光を出射する発光素子からなり、該発光素子が、第４側辺の、第３側辺に連なる側の最端部に配置される。複数の受光素子は、第１側辺、第２側辺、第３側辺および第４側辺に沿って、表示面を挟んで発光部と対向する位置にそれぞれ設けられ、各発光素子から出射される光を受光する。座標位置検出部は、対向する発光素子から検出光が出射されているときに、受光素子における前記検出光の受光量が、予め定める閾値未満であれば、発光素子から受光素子に至る光路を遮光物が遮光したと判断し、表示面における遮光物が遮光した座標位置を、前記検出光の受光量が予め定める閾値未満である受光素子の位置に基づいて検出する。
【００１５】
発光素子が、第１側辺の、第２側辺に連なる側の最端部、第２側辺の、第１側辺に連なる側の最端部、第３側辺の、第４側辺に連なる側の最端部および第４側辺の、第３側辺に連なる側の最端部に配置されることによって、発光素子から出射されるサイド光がどの受光素子にも受光されない。このような座標表示装置において同時スキャンを行うことによって、表示面における遮光物の座標位置を取得するまでの処理時間を短くすることができるとともに、サイド光が受光素子に受光されることで発生する誤検出を防止することができる。
【００１６】
また本発明によれば、座標位置検出部は、全ての発光素子が同時に検出光を出射する同時スキャン方式によって座標位置を検出するので、交互スキャン方式の場合よりも、表示面における遮光物の座標位置を取得するまでの処理時間を短くすることができる。
【図面の簡単な説明】
【００１７】
【図１】本発明の実施の一形態である座標検出装置１０の構成を示すブロック図である。
【図２】座標検出装置１０における表示面５、ならびに複数の発光素子６ａおよび複数の受光素子６ｂを示す図面である。
【図３】従来の座標検出装置１００における、表示面、ならびに発光素子および受光素子を示す図面である。
【発明を実施するための形態】
【００１８】
図１は、本発明の実施の一形態である座標検出装置１０の構成を示すブロック図である。図２は、座標検出装置１０における表示面５、ならびに複数の発光素子６ａおよび複数の受光素子６ｂを示す図面である。座標検出装置１０は、表示面５を有する表示部５ａと、第１〜第４発光部１１ａ〜１４ａと、第１〜第４受光部１１ｂ〜１４ｂと、第１〜第４増幅部２１〜２４と、第１〜第４レベル判定部３１〜３４と、第１〜第４パラレル／シリアル変換部４１〜４４と、発光制御部５１と、受光制御部５０と、座標位置検出部５２と、制御部５３と、表示駆動部５４と、プログラム記憶部５５と、作業記憶部５６とを含む。
【００１９】
座標検出装置１０は、表示面５において第１〜第４発光部１１ａ〜１４ａを構成する発光素子６ａから出射された検出光７を遮光した遮光物の座標位置を検出する。遮光物としては、人の指などが挙げられ、座標検出装置１０は、テレビジョン装置、パーソナルコンピュータ、ゲーム機器、携帯電話などに用いられる。
【００２０】
表示部５ａは表示面５を有し、液晶、プラズマなどの表示素子によって、画像を表示させるものである。表示面５は、第１〜第４側辺１ａ〜４ａを有する矩形状に形成されている。具体的には、表示面５は、外周方向に沿って接続された第１側辺１ａと、第１側辺１ａに直交する第２側辺２ａと、第１側辺１ａに対向する第３側辺３ａと、第２側辺２ａに対向する第４側辺４ａとによって、矩形状に形成されている。第１側辺１ａおよび第３側辺３ａは、ｙ方向に平行であり、ｘ方向に平行な第２側辺２ａおよび第４側辺４ａよりも短い長さ寸法を有している。たとえば、表示面５が６０インチの場合、第１側辺１ａおよび第３側辺３ａの長さは７９ｃｍであり、第２側辺２ａおよび第４側辺４ａの長さは１３０ｃｍである。第２側辺２ａおよび第４側辺４ａは、中央部に明らかな撓みが生じるなどの悪影響が現れない長さまで長くすることができる。
【００２１】
表示面５は、４個の接続部を有しており、第１側辺１ａと第２側辺２ａとの接続部が、第１接続部１ｂであり、第２側辺２ａと第３側辺３ａとの接続部が、第２接続部２ｂであり、第３側辺３ａと第４側辺４ａとの接続部が、第３接続部３ｂであり、第１側辺１ａと第４側辺４ａとの接続部が、第４接続部４ｂである。
【００２２】
第１〜第４発光部１１ａ〜１４ａは、複数の発光素子６ａからなる。第１〜第４発光部１１ａ〜１４ａを構成する複数の発光素子６ａは、発光制御部５１に電気的に接続されており、複数の発光素子６ａは、発光制御部５１から電力を供給されると、表示面５の面内側に向けて検出光７として赤外線を出射する。発光素子６ａは、ＬＥＤ（Light-Emitting Diode）である。発光素子６ａの光量は、対応する側辺の間の距離、発光素子６ａのレンズ形状、発光素子６ａの数量、受光素子６ｂの感度、後述する増幅部の増幅性能等により決定される。
【００２３】
第１発光部１１ａは、表示面５の第１側辺１ａの中央から最端まで第１接続部１ｂに向かって設けられる。第２発光部１２ａは、表示面５の第２側辺２ａの中央から最端まで第１接続部１ｂに向かって設けられる。第３発光部１３ａは、表示面５の第３側辺３ａの中央から最端まで第３接続部３ｂに向かって設けられる。第４発光部１４ａは、表示面５の第４側辺４ａの中央から最端まで第３接続部３ｂに向かって設けられる。
【００２４】
座標検出装置１０は、全ての発光素子６ａから同時に検出光７を出射させる同時スキャン方式、または第１発光部１１ａおよび第３発光部１３ａの発光素子６ａと、第２発光部１２ａおよび第４発光部１４ａの発光素子６ａとを交互に順次出射させる交互スキャン方式のどちらであってもよいが、本実施形態では、同時スキャン方式である。同時スキャンを行うことによって、交互スキャンを行う場合よりも、表示面５における遮光物の座標位置を取得するまでの処理時間を短くすることができる。
【００２５】
第１〜第４受光部１１ｂ〜１４ｂは、第１〜第４発光部１１ａ〜１４ａを構成する複数の発光素子６ａから出射された検出光７を受光する複数の受光素子６ｂからなる。
【００２６】
第１受光部１１ｂは、表示面５を挟んで第３発光部１３ａと対向するように、表示面５の第１側辺１ａの中央から最端まで第４接続部４ｂに向かって設けられる。第２受光部１２ｂは、表示面５を挟んで第４発光部１４ａと対向するように、表示面５の第２側辺２ａの中央から最端まで第２接続部２ｂに向かって設けられる。第３受光部１３ｂは、表示面５を挟んで第１発光部１１ａと対向するように、表示面５の第３側辺３ａの中央から最端まで第２接続部２ｂに向かって設けられる。第４受光部１４ｂは、表示面５を挟んで第２発光部１２ａと対向するように、表示面５の中央から最端まで第４側辺４ａの第４接続部４ｂに向かって設けられる。
【００２７】
そのため、具体的に、第１受光部１１ｂおよび第３受光部１３ｂには、受光素子６ｂが４個並んで設けられ、第２受光部１２ｂおよび第４受光部１４ｂには、受光素子６ｂが８個並んで設けられる。第１受光部１１ｂは、第３発光部１３ａを構成する発光素子６ａから出射された検出光７を受光し、第２受光部１２ｂは、第４発光部１４ａを構成する発光素子６ａから出射された検出光７を受光し、第３受光部１３ｂは、第１発光部１１ａを構成する発光素子６ａから出射された検出光７を受光し、第４受光部１４ｂは、第２発光部１２ａを構成する発光素子６ａから出射された検出光７を受光する。
【００２８】
第１〜第４受光部１１ｂ〜１４ｂのそれぞれの受光素子６ｂは、第１〜第４増幅部２１〜２４にそれぞれ電気的に接続されており、受光素子６ｂは、受光した検出光７を電気信号に変換し、変換した電気信号を、それぞれに対応する第１〜第４増幅部２１〜２４に出力する。
【００２９】
発光素子６ａからは、対向する受光素子６ｂに向かって出射される強度の強い検出光７の他に、この検出光７とは異なる方向へ出射される、強度の弱いサイド光８も出射される。
【００３０】
そのため、図３に示す従来の座標検出装置１００のように、表示面５の第１側辺１ａおよび第２側辺２ａに沿って複数の発光素子６ａが配列し、表示面５の第３側辺３ａおよび第４側辺４ａに沿って複数の受光素子６ｂが配列している場合、同時スキャンを行うと、第１側辺１ａの第４側辺４ａ側に沿って設けられた発光素子６ａから出射された検出光７が、第４側辺４ａの第１側辺１ａ側に沿って設けられた受光素子６ｂに受光されてしまい、遮光物が検出光７を遮光したことを適切に判断することができないという誤検出を起こすおそれがある。また、同様の誤検出が、第２側辺２ａの第３側辺３ａ側に沿って設けられた発光素子６ａから出射された検出光７が、第３側辺３ａの第２側辺２ａ側に沿って設けられた受光素子６ｂに受光されて起こるおそれがある。
【００３１】
本実施形態の座標検出装置１０は、第１側辺１ａおよび第２側辺２ａにおける、第１接続部１ｂ側の最端部、ならびに第３側辺３ａおよび第４側辺４ａにおける、第３接続部３ｂ側の最端部に発光素子６ａが配置され、第１側辺１ａおよび第４側辺４ａにおける、第４接続部４ｂ側の最端部、ならびに第２側辺２ａおよび第３側辺３ａにおける、第２接続部２ｂ側の最端部に受光素子６ｂが配置されている。すなわち、第１〜第４接続部１ｂ〜４ｂそれぞれにおいて、最も近い位置に配置される２つの素子が同じ種類の素子である。
【００３２】
このような構成であることによって、たとえば第２発光部１２ａにおける第１接続部１ｂ側の最端部に配置された発光素子６ａからのサイド光８は、第１発光部１１ａの発光素子６ａに向かって出射され、サイド光８がどの受光素子６ｂにも受光されないので、同時スキャンをしても、サイド光８が受光素子６ｂに受光されることで発生する誤検出を防止することができる。
【００３３】
本実施形態では、第１側辺１ａに沿って配列している素子のうち、発光素子６ａおよび受光素子６ｂがそれぞれ４個、第２側辺２ａに沿って配列している素子のうち、発光素子６ａおよび受光素子６ｂがそれぞれ８個であるが、第１〜第４接続部１ｂ〜４ｂそれぞれにおいて、最も近い位置に配置される２つの素子が同じ種類の素子であれば、この構成に限定されない。
【００３４】
たとえば、第１側辺１ａおよび第２側辺２ａにおいて、第１接続部１ｂ側の最端部のみ発光素子６ａが設けられて、受光素子６ｂが第１側辺１ａに７個、第２側辺２ａに１５個設けられてもよい。
【００３５】
前述の誤検出防止の効果は、表示面５のサイズに応じて、第１〜第４側辺１ａ〜４ａそれぞれにおける発光素子６ａが配置される範囲を変更することで、より確実に発揮される。
【００３６】
第１〜第４側辺１ａ〜４ａの長さが長いほど、すなわちサイズの大きい表示面５を用いるほど、より強度の強い検出光７を出射できる発光素子６ａを用いる必要があり、強度の強い検出光７を出射できる発光素子６ａを用いるほど、サイド光８が届く範囲が広くなり、前述の誤検出が発生しやすくなるおそれがある。そのため特にサイズの大きい表示面５を用いる場合には、第１側辺１ａおよび第２側辺２ａにおける第１接続部１ｂ側の最端部、または第３側辺３ａおよび第４側辺４ａにおける第３接続部３ｂ側の最端部のみに発光素子６ａを設けるよりも、これらの最端部から複数個連続して発光素子６ａを設けるほうが前述の誤検出をより確実に防止することができる。複数個連続して発光素子６ａを設ける範囲は、発光素子６ａの指向性特性、および受光素子６ｂの受光特性などによって適宜調整する。
【００３７】
なお、第１〜第４側辺１ａ〜４ａそれぞれの長さに対して上記の範囲だけ発光素子６ａが配置されていれば、第１〜第４側辺１ａ〜４ａの中央部では、発光素子６ａと受光素子６ｂとが交互に配列されていてもよい。
【００３８】
第１〜第４増幅部２１〜２４は、受光素子６ｂで変換した電気信号を増幅させる複数の増幅手段からなる。全ての受光素子６ｂには、それぞれ１個の増幅手段が電気的に接続されている。増幅手段で増幅された電気信号は、それぞれに対応する第１〜第４レベル判定部３１〜３４に出力される。
【００３９】
第１〜第４レベル判定部３１〜３４は、複数のレベル判定手段からなる。全ての増幅手段には、それぞれ１個のレベル判定手段が電気的に接続されている。レベル判定手段は、増幅手段で増幅させた電気信号が、予め定める閾値以上であるか否か判定するとともに、この判定結果に基づいて、入力された電気信号をデジタル信号に変換する。レベル判定手段で変換されたデジタル信号は、それぞれに対応する第１〜第４パラレル／シリアル変換部４１〜４４に出力される。
【００４０】
第１〜第４パラレル／シリアル変換部４１〜４４は、レベル判定手段から出力された複数のデジタル信号であるパラレルデータを、パラレル／シリアル変換し、シリアルデータに変換する。第１パラレル／シリアル変換部４１には、第１レベル判定部３１を構成する全てのレベル判定手段が電気的に接続されている。第２パラレル／シリアル変換部４２には、第２レベル判定部３２を構成する全てのレベル判定手段が電気的に接続されている。第３パラレル／シリアル変換部４３には、第３レベル判定部３３を構成する全てのレベル判定手段が電気的に接続されている。第４パラレル／シリアル変換部４４には、第４レベル判定部３４を構成する全てのレベル判定手段が電気的に接続されている。第１〜第４パラレル／シリアル変換部４１〜４４は、受光制御部５０と電気的に接続されており、第１〜第４パラレル／シリアル変換部４１〜４４でシリアルデータに変換されたデジタル信号を、受光制御部５０に出力する。
【００４１】
受光制御部５０は、第１〜第４パラレル／シリアル変換部４１〜４４から受信したデジタル信号を、受光素子６ｂの位置に合わせたＸ軸、Ｙ軸のデータに並び替える。受光制御部５０は、座標位置検出部５２に電気的に接続されており、受光制御部５０でＸ軸、Ｙ軸に並び替えられたデータを座標位置検出部５２に出力する。
【００４２】
発光制御部５１は、全ての発光素子６ａおよび座標位置検出部５２に電気的に接続されており、発光素子６ａには電力を供給する。座標位置検出部５２には、発光素子６ａへの電力供給に関するデータを出力する。
【００４３】
座標位置検出部５２は、受光制御部５０でＸ軸、Ｙ軸に並び替えられたデータと、発光制御部５１から出力されたデータとから、検出光７が遮光されている、表示面５における座標位置を検出する。座標位置検出部５２は、制御部５３に電気的に接続されており、検出光７が遮光されている、表示面５における座標位置のデータを制御部５３に出力する。
【００４４】
制御部５３は、座標位置検出部５２の他に、発光制御部５１、作業記憶部５６、プログラム記憶部５５および表示駆動部５４に電気的に接続されており、これらを制御することで、前述までの座標検出装置１０の全ての動作を制御する。
【００４５】
プログラム記憶部５５には、制御部５３にて実行されるプログラムが記憶されており、制御部５３は、プログラム記憶部５５に記憶されているプログラムに基づいて制御を行う。
【００４６】
作業記憶部５６には、制御部５３にてプログラムの実行時に必要となる記憶内容を記憶する。記憶内容としては、受光制御部５０でＸ軸、Ｙ軸に並び替えられたデータなどが挙げられる。
【００４７】
表示駆動部５４は、制御部５３により指示された内容を表示面５に表示させる。たとえば、検出光７が遮光されている、表示面５における座標位置、すなわち、遮光物が接触している表示面５における座標位置に、画像を表示させる。
【符号の説明】
【００４８】
１ａ  第１側辺
２ａ  第２側辺
３ａ  第３側辺
４ａ  第４側辺
５  表示面
５ａ  表示部
１０  座標検出装置
１１ａ  第１発光部
１２ａ  第２発光部
１３ａ  第３発光部
１４ａ  第４発光部
１１ｂ  第１受光部
１２ｂ  第２受光部
１３ｂ  第３受光部
１４ｂ  第４受光部
２１，２２，２３，２４  第１〜第４増幅部
３１，３２，３３，３４  第１〜第４レベル判定部
４１，４２，４３，４４  第１〜第４パラレル／シリアル変換部
５０  受光制御部
５１  発光制御部
５２  座標位置検出部
５３  制御部
５４  表示駆動部
５５  プログラム記憶部
５６  作業記憶部
【図１】
2013088940.tif 000003
【図２】
2013088940.tif 000004
【図３】
2013088940.tif 000005